(57)【要約】【課題】農用作業車においてドラムロータへの草類の巻き付きを少なくする。【解決手段】除草伝動ケース２４の下部に左右ドラムロータ２６，２６を備えた農用作業車において、高圧水を散布することのできる散布ホース３７の終端側を前記左右ドラムロータ２６，２６の後側上方部位まで延長し、前記散布ホース３７の終端から分岐した左右散布ホース３７ａ，３７ｂを前記左右ドラムロータ２６，２６の後側上部に向けて前下がり傾斜状に前方へ延出してその先端部にノズル４０，４０を設け、該ノズル４０，４０により左右ドラムロータ２６，２６の後部に高圧水を散布するように構成したことを特徴とする農用作業車の構成とする。【選択図】図２
2010029140.tif 000002
【特許請求の範囲】
【請求項１】
除草伝動ケース（２４）の下部に左右ドラムロータ（２６），（２６）を備えた農用作業車において、高圧水を散布することのできる散布ホース（３７）の終端側を前記左右ドラムロータ（２６），（２６）の後側上方部位まで延長し、前記散布ホース（３７）の終端から分岐した左右散布ホース（３７ａ），（３７ｂ）を前記左右ドラムロータ（２６），（２６）の後側上部に向けて前下がり傾斜状に前方へ延出してその先端部にノズル（４０），（４０）を設け、該ノズル（４０），（４０）により左右ドラムロータ（２６），（２６）の後部に高圧水を散布するように構成したことを特徴とする農用作業車。
【請求項２】
前記左右ドラムロータ（２６），（２６）の左右両側部を背面視で左右両側ほど小径になる小径部（２６ｓ）に構成し、終端側の前記左右散布ホース（３７ａ），（３７ｂ）を前記左右ドラムロータ（２６），（２６）の後部に向けて前下がり傾斜状で且つ中央部から左右両側に向けて下り傾斜するように延出してその先端部にノズル（４０），（４０）を設け、該ノズル（４０），（４０）から左右ドラムロータ（２６），（２６）に高圧水を散布するようにしたことを特徴とする請求項１記載の農用作業車。
【発明の詳細な説明】
【技術分野】
【０００１】
本発明は、農用作業車に関し、特に農用作業車に搭載した除草装置に関するものである。
【背景技術】
【０００２】
農用作業車の除草装置において、機体の後部にカルチロータを設け、カルチロータの耕耘爪により後方に放擲した土や草類に薬液散布ブームから薬液を散布するようにしたものは、公知である（特許文献１）。
【特許文献１】特開２００５−８７０２６号公報（６頁、図２、図８）
【発明の開示】
【発明が解決しようとする課題】
【０００３】
背景技術の除草装置では、除草ロータから後方に放擲された土や草類に薬液を散布する構成であるので、除草ロータには泥が付着したり雑草類が巻き付き徐々に堆積すると、除草能力が低下し、エンジン負荷率も大きくなり、燃料消費もかさむという不具合が発生する。そこで、この発明は、除草ロータの耕耘部分に直接高圧水を散布することにより、除草ロータに巻き付いた草類を排除し、前記不具合を解消しようとするものである。
【課題を解決するための手段】
【０００４】
請求項１の発明は、除草伝動ケース（２４）の下部に左右ドラムロータ（２６），（２６）を備えた農用作業車において、高圧水を散布することのできる散布ホース（３７）の終端側を前記左右ドラムロータ（２６），（２６）の後側上方部位まで延長し、前記散布ホース（３７）の終端から分岐した左右散布ホース（３７ａ），（３７ｂ）を前記左右ドラムロータ（２６），（２６）の後側上部に向けて前下がり傾斜状に前方へ延出してその先端部にノズル（４０），（４０）を設け、該ノズル（４０），（４０）により左右ドラムロータ（２６），（２６）の後部に高圧水を散布するように構成したことを特徴とする農用作業車とする。
【０００５】
前記構成によると、散布ホース（３７）の終端から分岐した左右散布ホース（３７ａ），（３７ｂ）の終端側は左右ドラムロータ（２６），（２６）の後側上方部位に位置していて、除草作業をする左右ドラムロータ（２６），（２６）の後側上部に向けて前下がり傾斜状に前方へ延出している左右散布ホース（３７ａ），（３７ｂ）の先端部のノズル（４０），（４０）から左右ドラムロータ（２６），（２６）に高圧水が散布され、左右ドラムロータ（２６），（２６）に巻き付いた草類を排出することができる。
【０００６】
請求項２の発明は、前記左右ドラムロータ（２６），（２６）の左右両側部を背面視で左右両側ほど小径になる小径部（２６ｓ）に構成し、終端側の前記左右散布ホース（３７ａ），（３７ｂ）を前記左右ドラムロータ（２６），（２６）の後部に向けて前下がり傾斜状で且つ中央部から左右両側に向けて下り傾斜するように延出してその先端部にノズル（４０），（４０）を設け、該ノズル（４０），（４０）から左右ドラムロータ（２６），（２６）に高圧水を散布するようにしたことを特徴とする請求項１記載の農用作業車とする。
【０００７】
前記構成によると、請求項１発明の前記作用に加えて、左右ドラムロータ（２６），（２６）の後側上部に向けて、前下がり傾斜状で且つ中央部から左右両側に向けて下り傾斜の左右散布ホース（３７ａ），（３７ｂ）の先端部のノズル（４０），（４０）から左右ドラムロータ（２６），（２６）に高圧水が散布され、左右ドラムロータ（２６），（２６）に付着した草類は左右両側部の小径部（２６ｓ）に向けて排出される。
【発明の効果】
【０００８】
請求項１の発明は、左右ドラムロータ（２６），（２６）の草類の巻き付きを少なくし、除草性能の維持を図ることができる。
請求項２の発明は、請求項１の発明の前記効果に加えて、前下がり傾斜状で且つ中央部から左右両側に向けて下り傾斜の左右散布ホース（３７ａ），（３７ｂ）のノズル（４０），（４０）から左右ドラムロータ（２６），（２６）に高圧水が散布されるので、左右ドラムロータ（２６），（２６）の左右両側部の小径部（２６ｓ）に向けて草類を円滑に排出し、草類の巻き付きを少なくすることができる。
【発明を実施するための最良の形態】
【０００９】
以下、本発明の実施形態について説明する。
農用作業車１の車体フレーム２の前後には左右前輪３，３及び左右後輪４，４を設け、車体フレーム２の前側部にはエンジン（図示省略）を搭載してボンネット６で被覆し、エンジン（図示省略）の動力をミッションケース６内の静油圧式無段変速装置（図示省略）及びギヤ式副変速装置（図示省略）を経由して左右前輪３，３、左右後輪４，４及びＰＴＯ軸（図示省略）に伝達している。車体フレーム２のボンネット６の後側部からハンドルポスト８を上方へ延出し、ハンドルポスト８の上部にステアリングハンドル９を設け、ステアリングハンドル９の後方に操縦席１０を設けている。ボンネット６の後側部に表示パネル１２を設け、ハンドルポスト８の左側には無段変速装置変速用の主変速レバー１３ａやアクセルレバー１３ｂを設け、操縦席１０の右側には散布量等を設定する散布設定器（図示省略）を設けている。車体フレーム２上にはオペレータが足を置くフロア１４を設け、フロア１４上には左右のブレーキペダル１５，１５等を設け、操縦席１０の左右両側には左右薬液タンク１６，１６を設けている。
【００１０】
車体フレーム２の後部には油圧シリンダ（図示省略）により昇降可能に作業機昇降装置２１を設け、この作業機昇降装置２１に除草機２２を連結している。この除草機２２は、農用作業車１のＰＴＯ軸（図示省略）から動力が伝達される伝動ボックス２３と、伝動ボックス２３から後側下方に延出している中央及び左右の除草伝動ケース２４，…と、除草伝動ケース２４，…の下部に軸架している左右除草軸２５，２５と、左右除草軸２５，２５に取り付けられている左右ドラムロータ２６，２６と、左右ドラムロータ２６，２６を覆う左右ドラムカバー２７，２７等で構成している。
【００１１】
この左右ドラムロータ２６，２６について具体的に説明する。左右除草軸２５，２５の内側寄りの爪ホルダ２５ａに左右内側ブレード２６ａ，…を取り付けてその先端部を左右外側に屈折し、また、左右除草軸２５，２５の外側寄りの爪ホルダ２５ｂ，…に左右外側ブレード２６ｂ，…を取り付けてその先端部を内側に屈折し、左右内側ブレード２６ａ，…の先端屈折部内周面に左右外側ブレード２６ｂ，…の先端屈折部外周面を接合している。そして、このような左右内側ブレード２６ａ，…と左右外側ブレード２６ｂ，…を回転方向に複数組配設して、除草伝動ケース２４の下部左右両側に左右ドラムロータ２６，２６を構成している。
【００１２】
また、除草機２２の伝動ボックス２３から後下がり傾斜状に中央の除草伝動ケース２４を延出し、伝動ボックス２３から左右両側に向けて左右除草フレーム２３ａ，２３ｂを延出し、左右除草フレーム２３ａ，２３ｂの左右両側部にはブラケット２３ｃ，…を介して、後下がり傾斜状の左右の除草伝動ケース２４，２４を左右方向に調節自在に取り付け、除草フレーム２３ａ，２３ｂの内部に設けた左右方向に伸縮自在の伝動軸（図示省略）を経由して、左右ドラムロータ２６，２６に動力を伝達している。そして、これら左右ドラムロータ２６，２６の後方に尾輪２８，…をそれぞれ設けている。
【００１３】
次に、除草機２２への薬液や水等の散布構成について説明する。
左右薬液タンク１６，１６の下部を連通パイプ１６ａで連結し、薬液の左右の偏りを防止している。操縦席１０の右側下方にポンプＰを配置し、右薬液タンク１６の下部から給水パイプ３１を経由してポンプＰに薬液が送られ、ポンプＰから吐出した薬液は、吐出ホース（図示省略）を経由して調圧装置（図示省略）に送られ、調圧装置（図示省略）で調圧された薬液は流量制御弁（図示省略）を経由して吐出し、散布コック（図示省略）、第１散布ホース３４、散布マニホールド３６に送られる。そして、散布マニホールド３６で左右及び中央の散布ホース３７，…に分岐されて送られる。そして、左右及び中央の散布ホース３７，…の後側端部を左右及び中央の左右ドラムロータ２６，…の後側上方部位まで延出し、左右及び中央の除草伝動ケース２４，…から後方に向けて延出している延長フレーム４２，…の後側端部に散布ホース３７，…が取り付けられ、左右及び中央の散布ホース３７，…の終端側が左右ドラムロータ２６，…の後部に向けて前下がり傾斜状に延出され、散布ホース３７，…の後側端部に設けたノズル４０，…から薬液が左右ドラムロータ２６，２６の後部に向けて散布されるように構成している。
【００１４】
また、散布マニホールド３６を操縦席１０の後方に配設し、散布マニホールド３６から左右及び中央の散布ホース３７，…を支持パイプ４１で束ねて作業機昇降装置２１の左右一側を通して後方に延出しているので、散布ホース３７，…の配索がシンプルとなって接続ミスを防止し、除草機２２の昇降の際に作業機昇降装置２１との干渉を回避し、中耕除草作業及び薬液散布作業を円滑に行なうことができる。
【００１５】
前記構成によると、除草作業中の左右ドラムロータ２６，…の後部に薬液や水を散布することができ、除草効果を高めると共に草類の巻き付きを少なくすることができる。
次に、農用作業車１の左右ドラムロータ２６，…の草類の除去構成について説明する。
【００１６】
左右ドラムロータ２６，…を備えた農用作業車において、図２に示すように、左右薬液タンク１６，１６に水を投入し、ポンプＰから高圧水を吐出し、吐出ホース（図示省略）、調圧装置（図示省略）で高圧に調圧された高圧水を流量制御弁（図示省略）、第１散布ホース３４、散布マニホールド３６を経由して散布ホース３７，…に送る。そして、散布ホース３７，…の左右終端側部３７ａ，３７ｂを左右ドラムロータ２６，…の後側上部に向けて、前下がり傾斜で且つ内側から左右両外側に下り傾斜するように延出し、先端のノズル４０，…から左右ドラムロータ２６，…の左右全幅に向けて高圧水を散布する。
【００１７】
例えば大豆の畦間を連続して左右ドラムロータ２６，…により除草作業をすると、ドラムロータ２６のブレード２６ａ，２６ｂに泥が付着したり、切断された草類が巻き付く。そして、これが徐々に堆積すると、除草能力が低下し、エンジン負荷率も大きくなり、燃料消費もかさむという不具合が発生する。
【００１８】
しかし、前記構成によると、左右ドラムロータ２６，…に草類が堆積すると、散布ホース３７，…のノズル４０，…から左右ドラムロータ２６，…の略左右全幅に向けて前下がり傾斜方向で且つ内側から左右両側に下り傾斜方向の高圧水を散水することにより、左右ドラムロータ２６，…から草類の排出を促進することができる。
【００１９】
また、図３に示すように左右ドラムロータ２６，２６を構成してもよい。左右ドラムロータ２６，２６のブレード２６ｍ，…を背面視Ｕ字型に屈曲した構成とし、このブレード２６ｍ，…の両端部を左右除草軸２５，２５の左右両側の爪ホルダ２６ｃ，２６ｅに取り付け、左右ブレード２６ｍ，…の内側寄りを背面視で緩傾斜状に外側ほど小径にした内側緩傾斜状部２６ｒとし、左右ブレード２６ｍ，…の外側寄りを背面視で急傾斜状に外側ほど小径にした外側急傾斜状の小径部２６ｓに構成する。そして、左右ブレード２６ｍ，…の回転前側に刃部２６ｔを形成し、左右ブレード２６ｍ，…の刃部２６ｔを平面視で左右外側ほど回転方向下手側に緩く傾斜するように構成している。
【００２０】
前記構成によると、左右ドラムロータ２６，…の後側左右両側部に向けてノズル４０，…から前下がり傾斜方向で且つ内側から左右両側に下り傾斜方向の高圧水を散水することにより、左右ドラムロータ２６，…の左右両側の小径部２６ｓに向けて草類を排出できて絡み付きが少なくなり、除草性能の維持を図りながらメンテナンス作業を楽にすることができる。
【００２１】
次に、図４に基づき左右薬液タンク１６の他の実施形態について説明する。
操縦席１０の左右両側に左右薬液タンク１６，１６を独立して設け、左右薬液タンク１６，１６の操縦席１０側の内側面には、上側ほど内側に上り傾斜で操縦席１０側に向い、且つ、タンク側面よりも内側に突出するように左右ドリンクホルダ４６，４６を一体成形して設けている。また、左右ドリンクホルダ４６，４６の上方には開閉自在の蓋４７を設け、ドリンクホルダ４６，４６の最下端部には水抜き孔４６ａを設けている。
【００２２】
前記構成によると、左右薬液タンク１６，１６の容量を大きく構成しながらデザインを向上させ、また、部品点数を少なくし組立て工数を削減することができる。また、左右方向薬液タンク１６，１６への薬液投入時にこぼれても、左右ドリンクホルダ４６，４６やペットボトル４８に薬液がかかりにくく衛生上良好であり、また、農用作業車１を洗車した際にも左右ドリンクホルダ４６，４６への水の溜りを防止し、衛生状態を良好に保持することができる。
【００２３】
次に、図５について説明する。この実施形態は、左右薬液タンク１６，１６とドリンクホルダ４６，４６とを分割構成し、左右薬液タンク１６，１６の操縦席１０側の側面にはナット４９，…を上下数段にわたり埋設し、ドリンクホルダ４６の取付板４６ａを取付ネジ５０、…により上下調節自在に取り付け、左右薬液タンク１６，１６の左右いずれの側へもペットボトル４８を入れることができ、ペットボトル４８の取出取入を容易にしている。また、薬液タンク１６の操縦席１０側の側面にはドリンクホルダ４６の側方には液面計５１を設け、オペレータが運転中に薬液の残量を容易に確認できるようにしている。
【図面の簡単な説明】
【００２４】
【図１】農用作業車の側面図。
【図２】農用作業車の背面図。
【図３】除草機の背面図。
【図４】農用作業車の背面図、薬液タンクの一部側面を示す図。
【図５】薬液タンクの斜視図。
【符号の説明】
【００２５】
１      農用作業車
２４      除草伝動ケース
２６      ドラムロータ
２６ｓ    小径部
３７      散布ホース
３７ａ    左散布ホース
３７ｂ    右散布ホース
４０      ノズル
【図１】
2010029140.tif 000003
【図２】
2010029140.tif 000004
【図３】
2010029140.tif 000005
【図４】
2010029140.tif 000006
【図５】
2010029140.tif 000007